(57)【要約】【課題】照明具において、電源装置を支持部材に取り付ける場合に、支持部材に形成された電源装置の取り付けのための孔を閉塞する簡易な構成を提供する。【解決手段】照明具２は、支持部材２３と、支持部材２３の第１面部２３１の側に配置される発光素子３１と、第２面部２３２の側に取り付けられる電源装置４０とを備えている。電源装置４０は、一箇所の係合構造部９５０と一箇所の固定構造部９６０とによって第２面部２３２の側に取り付けられている。係合構造部９５０は、支持部材２３に設けられた支持側係合部２４０と、電源装置４０に設けられて支持側係合部２４０に挿入されている電源側係合部である筐体係合部４０７とを備えている。【選択図】図１８
2019029123.tif 000002
【特許請求の範囲】
【請求項１】
支持部材と、
前記支持部材の一方の面の側に配置される発光素子と、
前記一方の面の裏側である前記支持部材の他方の面の側に取り付けられる電源装置と
を備え、
前記電源装置は、
一箇所の係合構造部と一箇所の固定構造部とによって前記他方の面の側に取り付けられており、
前記係合構造部は、
前記支持部材に設けられた支持側係合部と、前記電源装置に設けられて前記支持側係合部に挿入されている電源側係合部とを備える照明具。
【請求項２】
前記支持側係合部は、
前記一方の面から前記他方の面の方向に切り起こされて内部空間を有する切り起こし部であり、
前記電源側係合部は、
前記内部空間に挿入されている請求項１に記載の照明具。
【請求項３】
前記照明具は、
前記発光素子が実装された発光素子基板を備え、
前記支持部材は、
前記切り起こし部が切り起こされたことに伴う取り付け用開口が形成されており、
前記取り付け用開口は、
前記発光素子基板によって塞がれている請求項２に記載の照明具。
【請求項４】
請求項１から請求項３のいずれか一項に記載の照明具と、
前記照明具が着脱自在に取り付け可能な照明器具と
を備えた照明装置。
【発明の詳細な説明】
【技術分野】
【０００１】
本発明は、発光ダイオードのような固体発光素子を用いた照明具及びこの照明具を用いた照明装置に関する。
【背景技術】
【０００２】
従来では、例えば、ねじを用いずに発光素子が実装されている基板を取付部材に取り付ける照明器具がある（例えば特許文献１）。
【先行技術文献】
【特許文献】
【０００３】
【特許文献１】特開２０１４−１１６２９９号公報
【発明の概要】
【発明が解決しようとする課題】
【０００４】
しかし、従来技術では、基板が取り付けられる取付部材に貫通孔が残り、塵埃及び虫のような遺物がカバー内部に侵入するおそれがある。
【０００５】
本発明は、電源装置を支持部材に取り付ける場合に、電源装置の取り付けのために支持部材に形成された開孔を閉塞する簡易な構成の提供を目的とする。
【課題を解決するための手段】
【０００６】
この発明の照明具は、
支持部材と、
前記支持部材の一方の面の側に配置される発光素子と、
前記一方の面の裏側である前記支持部材の他方の面の側に取り付けられる電源装置と
を備え、
前記電源装置は、
一箇所の係合構造部と一箇所の固定構造部とによって前記他方の面の側に取り付けられており、
前記係合構造部は、
前記支持部材に設けられた支持側係合部と、前記電源装置に設けられて前記支持側係合部に挿入されている電源側係合部とを備える。
【発明の効果】
【０００７】
本発明によれば、電源装置を支持部材に取り付ける場合に、電源装置の取り付けのために支持部材に形成された開孔を閉塞する簡易な構成を提供できる。
【図面の簡単な説明】
【０００８】
【図１】実施の形態１の図で、照明装置の斜視図。
【図２】実施の形態１の図で、照明装置の組立斜視図。
【図３】実施の形態１の図で、照明具の斜視図。
【図４】実施の形態１の図で、照明具の５面図であり、（ａ）は背面図、（ｂ）は上面図、（ｃ）は正面図、（ｄ）は下面図、（ｅ）は透光性カバーを取り除いた状態の下面図。
【図５】実施の形態１の図で、照明具の断面図であり、図４の（ａ）のＡ−Ａ断面図。
【図６】実施の形態１の図で、照明具の主要部を説明する分解斜視図。
【図７】実施の形態１の図で、照明具の取り付けを説明する図。
【図８】実施の形態１の図で、照明器具の部分拡大図。
【図９】実施の形態１の図で、バネの斜視図。
【図１０】実施の形態１の図で、連結具の斜視図。
【図１１】実施の形態１の図で、連結具の斜視図。
【図１２】実施の形態１の図で、連結具の６面図。
【図１３】実施の形態１の図で、連結具の取付断面図であり、（ａ）は図４の（ｂ）におけるＢ−Ｂ断面図であり、（ｂ）は図４の（ｂ）におけるＣ−Ｃ断面図。
【図１４】実施の形態１の変形例に係る連結具の斜視図。
【図１５】実施の形態１の図で、電源装置の取り付けを説明する斜視図であり、（ａ）は固定構造であるネジ固定部側から見た図であり、（ｂ）は係合構造である電源係合部側から見た図。
【図１６】実施の形態１の図で、電源装置の取り付けを説明する図であり、（ａ）は上面図、（ｂ）は図１６の（ａ）におけるＦ−Ｆ断面図。
【図１７】実施の形態１の図で、台座付きネジの組み立てを説明する図であり、（ａ）は台座付きネジの取付前の図であり、（ｂ）は台座付きネジの取付後の図。
【図１８】実施の形態１の図で、電源装置の組み立てを説明する図。
【図１９】実施の形態１の図で、台座付きネジの斜視図。
【図２０】実施の形態１の図で、電源装置の取付断面図であり、（ａ）は図１５の（ｂ）におけるＥ−Ｅ断面図、（ｂ）は図１７の（ｂ）におけるＧ−Ｇ断面図、（ｃ）は図１７の（ｂ）におけるＨ−Ｈ断面図。
【図２１】実施の形態１の図で、複数の取り付け用孔の存在する領域を説明する図。
【図２２】実施の形態１の図で、基板の幅を説明する図。
【発明を実施するための形態】
【０００９】
以下、本発明の実施の形態について、図を用いて説明する。なお、以下の図面では各構成部材の大きさの関係が実際のものとは異なる場合がある。また、実施の形態の説明において、上、下、左、右、前、後、表、裏といった方向あるいは位置が示されている場合、それらの表記は、説明の便宜上、そのように記載しているだけであって、装置、器具、あるいは部品の配置及び向きを限定するものではない。
【００１０】
なお、以下の説明では、照明装置６００を取り付ける造営部７００の方向を取付方向あるいは上方とし、光源の照射方向を下方として説明する。
【００１１】
また、以下の説明で、長手方向は、第１方向の具体例であり、短手方向は、第１方向と直交する第２方向の具体例である。
【００１２】
実施の形態１．
＊＊＊構成の説明＊＊＊
図１から図９を参照して、実施の形態１の照明装置６００の概要を説明する。
図１は照明装置６００の斜視図である。
図２は照明装置６００の組立斜視図である。
図３は照明具２の斜視図である。
図４は照明具２の５面図であり、（ａ）は背面図、（ｂ）は上面図、（ｃ）は正面図、（ｄ）は下面図、（ｅ）は透光性カバーを取り除いた状態の下面図である。
図５は照明具２の断面図であり、図４の（ａ）のＡ−Ａ断面図である。
図６は照明具２の主要部を説明する分解斜視図である。
図７は照明具２の取り付けを説明する図である。
図８は照明器具１の部分拡大図である。
図９は器具側連結具１１であるバネの斜視図である。
【００１３】
＜照明装置６００の説明＞
図１と図２に示すように、照明装置６００は、照明器具１と照明具２とを有する。
図１に示すように、照明装置６００の長手方向及び短手方向を、長手方向Ｘ及び短手方向Ｙとする。
照明器具１及び照明具２の長手方向及び短手方向も同様に長手方向Ｘ及び短手方向Ｙと呼ぶ。
照明装置６００は、天井あるいは壁といった造営部７００に取り付けられる照明装置であり、長手方向に延びた長尺状の照明装置である。照明装置６００は、光源一体型ＬＥＤベースライトともいう。
照明装置６００は、照明具２と、照明具２を着脱可能に取り付ける照明器具１とを有する。
図に示した照明装置６００は、天井直付形の所謂「逆富士タイプ」であるが、「トラフタイプ」、「笠付タイプ」、「下面開放タイプ」、「埋込形」でもよい。
また、複数台の照明装置６００を連結した「連結タイプ」であってもよい。
【００１４】
＜照明器具１の説明＞
図２に示すように、照明器具１は、器具本体１０を有する。
【００１５】
＜器具本体１０の説明＞
図２に示すように、器具本体１０は、外観主部１０１とユニット取付部１０２とを有する。
器具本体１０は、板金が折り曲げられて形成される。
ユニット取付部１０２は、照明具２を収容する収納部となる部分であり、収容部ともいう。
ユニット取付部１０２は、照明具２を着脱可能に取り付ける。
ユニット取付部１０２は、底面部１０３と周面部１０４とを有する。
器具本体１０は、両サイドに、器具端部１０５を有する。
底面部１０３は、ユニット取付部１０２の長手方向に延びている板である。
底面部１０３には、２つの器具側連結具１１と、電源に接続された器具電源線材１２が設置される。
周面部１０４は、底面部１０３の短手方向の両端部を基端部として立ち上がっている壁である。
器具端部１０５は、器具本体１０の端面部を塞ぐように器具本体１０に取り付けられる。
【００１６】
＜器具側連結具１１の説明＞
器具側連結具１１は、取付バネであり、板バネが好適である。
図８は、器具側連結具１１である板バネが底面部１０３に取り付けられた状態を示しており、板バネは、ネジ１４で底面部１０３に固定される。
器具側連結具１１は、後述する照明具２が備えるユニット側連結具４６に対応する位置に配置される。
器具側連結具１１は、照明具２が備えるユニット側連結具４６と係り合う板バネである。
図９に示すように、器具側連結具１１である板バネは、バネ固定部１１０，ネジ挿通孔１１１、バネ主部１１２及びバネ先端部１１３を有する。
【００１７】
＜器具電源線材１２の説明＞
器具電源線材１２は、照明器具１に配線された電源線材である。
器具電源線材１２は、器具側コネクタ１３を有する。
【００１８】
＜照明具２の説明＞
照明具２は、光源ユニット、光源装置と呼ばれることもある。
図２に示すように、照明具２は、外郭部２０と発光モジュール３０と電源装置４０とを有する。
電源装置４０は電源ユニットと呼ばれる場合もある。
【００１９】
＜外郭部２０の説明＞
外郭部２０は、発光モジュール３０を覆う外郭である。
図６に示すように、外郭部２０は、透光性カバー２１と端部カバー２２と支持部材２３とを有する。
透光性カバー２１は、外郭部２０の第１外郭部である。
透光性カバー２１は、基板３４を覆うように支持部材２３に取り付けられる。
端部カバー２２は、外郭部２０の第２外郭部である。
支持部材２３は、外郭部２０の第３外郭部である。
【００２０】
＜透光性カバー２１の説明＞
図６に示すように、透光性カバー２１は、カバー主部２１０とカバー側部２１１とカバー係合部２１２とカバー保持部２１３とを有する。
カバー主部２１０は、前面透光部である。
カバー側部２１１は、側面透光部である。
カバー係合部２１２は、支持部材２３と嵌め合わせる部分である。
カバー保持部２１３は、支持部材２３を保持する部分である。
【００２１】
カバー主部２１０は、透光性カバー２１の全面に位置し、基板３４に対向する部分である。
カバー側部２１１は、透光性カバー２１の側部に相当する部分である。
カバー係合部２１２は、カバー側部２１１から取付方向に突き出た部分である。
カバー係合部２１２は、支持部材２３の側部２４８と係り合い、透光性カバー２１を支持部材２３に取り付ける。
【００２２】
図５に示すように、透光性カバー２１は、支持部材２３に取り付けられた発光モジュール３０を覆うように支持部材２３に取り付けられる。
透光性カバー２１は、カバー係合部２１２が支持部材２３の側部２４８の先端部を覆って、支持部材２３に取り付けられる。
【００２３】
＜端部カバー２２の説明＞
図６に示すように、端部カバー２２は、端面部２２０と周部２２１とを有する。
【００２４】
＜支持部材２３の説明＞
支持部材２３は、取付部材であり、台座となり、ヒートシンクとなる。
図６に示すように、支持部材２３は、長手方向に延びており、断面コ字状を成す。
支持部材２３は、取付部となる板状の主部２３０を有する。
主部２３０は、第１面部２３１と第２面部２３２とを有する。
第１面部２３１は、発光モジュール３０が取り付けられる基板取付面部である。第１面部２３１は、主部２３０の一方の面であり、照射側の面である。
第２面部２３２は、図３に示すように、電源装置４０とユニット側電源線材４２とユニット側連結具４６とその他の配置部品である付属装置の取付面部であり、電源取付面部である。第２面部２３２は、主部２３０の他方の面、すなわち一方の面である第１面部２３１の裏側の面であり、器具側の面である。
【００２５】
主部２３０の両側には一対の側部２４８が形成されている。
側部２４８は、照明具２が照明器具１に取り付けられた状態で、照明器具１のユニット取付部１０２の底面部１０３に向かって立ち上がっている。
側部２４８の先端部は、カバー係合部２１２と嵌め合わされる係合部である。
【００２６】
＜発光モジュール３０の説明＞
図６に示すように、発光モジュール３０は、発光素子３１と回路部品３２（図４の（ｅ））と基板コネクタ３３（図示せず）と基板３４とを有する。
発光素子３１は、ＬＥＤが好適である。発光素子３１は、有機ＥＬあるいはレーザといった発光素子でもよい。
基板３４は、実装面３４０と非実装面３４１とを有する。
実装面３４０は、発光モジュール３０の表面であり、発光素子３１が実装される面である。実装面３４０は、高反射面である。
非実装面３４１は、発光モジュール３０の裏面であり、支持部材２３の第１面部２３１との接着面であり、支持部材２３への熱伝達面である。
【００２７】
＜電源装置４０と電源関連部品の説明＞
図３に示すように、電源装置４０は、主部２３０の長手方向中央より一方側に寄せて取り付けられている。
電源装置４０は、主部２３０の長手方向中央に取り付けられていても構わない。
【００２８】
図３、図４に示すように、照明具２は、ユニット側電源線材４２、ユニット側コネクタ４３、給電線材４４、配線クランプ４８及び配線ホルダ４９を有する。
ユニット側電源線材４２は、電源装置４０と端子台４１とを接続する。
ユニット側コネクタ４３は、ユニット側電源線材４２の端部に設置されている。
【００２９】
図３に示すように、給電線材４４は、照明具２の端部において、支持部材２３の第２面部２３２に配置された電線保持具４８により固定される。
給電線材４４は、電線保持具４８でＵ字状に折り返され、支持部材２３の第１面部２３１に取り付けられた基板３４の実装面３４０に配線される。
基板３４の実装面３４０において、給電線材４４の給電コネクタ（図示していない）と発光モジュール３０の基板コネクタ３３とが接続される。
このようにして、基板３４に電力を供給することが可能となる。
【００３０】
図３に示すように、照明具２は、ユニット側連結具４６を有する。
ユニット側連結具４６は、ユニット側連結具であり、ユニット側取付具であり、バネ受け金具である。
２つのユニット側連結具４６は、主部２３０の長手方向の両端側にそれぞれ取り付けられている。
ユニット側連結具４６は、照明器具１が備える器具側連結具１１と係り合い、照明具２を照明器具１に固定する。
【００３１】
図６に示すように、照明具２は、電線保持具４８を有する。
電線保持具４８は、電線保持部材、電線保持装置、配線保持装置、又は、ハーネスクランプとも呼ばれる。
【００３２】
＜照明装置６００の施工方法の説明＞
図７を用いて、照明器具１に照明具２を取り付ける方法について説明する。
まず、造営部７００である天井に照明器具１を取り付ける。
照明器具１を天井に取り付ける方法には、天井からつり下げられている吊ボルトに固定する方法、あるいは、ネジなどの固定具により直接天井に固定する方法などがある。
照明器具１を造営部７００に取り付ける際、天井から引き出された電源電線すなわちＦケーブルを、照明器具１のユニット取付部１０２内に引き込み、端子台を介して器具電源線材１２の器具側コネクタ１３に接続する。
次に、図７に示すように、板バネである器具側連結具１１を照明具２のユニット側連結具４６と係合させる。
具体的には、器具側連結具１１のバネ主部１１２をユニット側連結具４６の貫通孔４６２を貫通させる。
このとき、照明具２と照明器具１との間に作業空間が存在する状態で、照明器具１の器具電源線材１２と照明具２のユニット側電源線材４２とを接続するなどの作業が行われる。
その後、照明具２を照明器具１に向かって押し上げ、照明具２が照明器具１に取り付けられる。
【００３３】
図１０から図１３を参照してユニット側連結具４６を詳しく説明する。
図１０はユニット側連結具４６の上側からの斜視図である。
図１１はユニット側連結具４６の下側からの斜視図である。
図１２はユニット側連結具４６の６面図である。
図１３はユニット側連結具４６の取付断面図であり、（ａ）は図４の（ｂ）におけるＢ−Ｂ断面図、（ｂ）は図４の（ｂ）におけるＣ−Ｃ断面図である。
【００３４】
＜ユニット側連結具４６の構成＞
図１０に示すように、ユニット側連結具４６は、バネ挿入部４６０、固定板部４６３、側板部４６５、上端部４６６、配置板部４６７、差込部４６８、押さえ部４６９、係合部４７０を有する。
バネ挿入部４６０は主板部４６１を有し、主板部４６１には貫通孔４６２が形成されている。
貫通孔４６２には器具側連結具１１である板バネのバネ主部１１２が挿入される。
固定板部４６３にはネジ孔４６４が形成されている。
【００３５】
＜支持部材２３の構成＞
図１０に示すように、支持部材２３にはユニット側連結具４６を取り付けるための連結具固定部２３４と、２か所の係合用開孔２３８が形成されている。
連結具固定部２３４の頂部には、平坦な環状の連結部配置部２３５が形成されており、その中央にはネジ孔２３７が形成されている。
連結具固定部２３４はしぼり加工で形成してもよい。
【００３６】
＜ユニット側連結具４６の取り付け＞
ユニット側連結具４６の固定板部４６３に設けられるネジ孔４６４にはネジ溝が設けられず、支持部材２３のネジ孔２３７にネジ５１をねじ込むためのネジ溝が設けられている。
ユニット側連結具４６は、以下のようにして支持部材２３に取り付けられる。
一対の差込部４６８をそれぞれの係合用開孔２３８に差し込むとともに、ネジ孔４６４とネジ孔２３７とが連通するように、固定板部４６３を連結部配置部２３５に配置する。
そして、ネジ５１をネジ孔４６４とネジ孔２３７に挿入してネジ止めする。
ネジ５１でネジ孔２３７は閉塞される。
また、係合用開孔２３８は配置板部４６７によって塞がれる。
【００３７】
＜ユニット側連結具４６の変形例＞
図１４は、ユニット側連結具４６の変形例であるユニット側連結具４６ａの斜視図である。
ユニット側連結具４６ａでは、ユニット側連結具４６に対して、ネジ５１の取り付けの向きが１８０度反対である点が異なる。
ユニット側連結具４６ａではネジ孔２３７ａにはネジ溝が設けられず、ネジ孔４６４ａにネジ５１のためのネジ溝が設けられている。ネジ溝の違いの他は、ユニット側連結具４６ａはユニット側連結具４６と同じ構成である。
ユニット側連結具４６ａの場合もユニット側連結具４６と同様に、ユニット側連結具４６ａを支持部材２３に取り付けた後は、ネジ５１でネジ孔２３７ａは閉塞され、係合用開孔２３８は配置板部４６７によって塞がれる。
【００３８】
＜支持部材２３に形成される貫通孔あるいは非貫通孔の閉塞について＞
図１３の（ａ），（ｂ）に示すように、支持部材２３に形成される貫通孔であり、ユニット側連結具４６を支持部材２３に固定するための固定部材であるネジ５１をねじ込み、あるいは挿通させるネジ孔２３７，２３７ａは、ネジ５１自身によって完全に閉塞される。
連結具固定部２３４を形成するために支持部材２３の第１面部２３１に形成される凹部２３６は、基板３４によって完全に閉塞される。
つまり、基板３４の幅Ｗ１及び基板３４の長手方向Ｘの長さは、凹部２３６によって第１面部２３１に形成される開口を塞ぐことができる。
幅Ｗ１については、凹部２３６によって第１面部２３１に形成される開口の幅を幅Ｗ２とすれば、
Ｗ１＞Ｗ２
である。
なお、基板３４は連結具固定部２３４付近でも支持部材２３の第１面部２３１に接着固定されており、剥離しない構造である。
また、支持部材２３に形成される孔である貫通孔あるいは非貫通孔は、支持部材２３の第２方向（短手方向Ｙ）における支持部材２３の略中央に設けられている。
短手方向Ｙの広い範囲には設けられていないので、特に非貫通孔である凹部２３６の形成に基づく第１面部２３１上の開口を閉塞するために必要となる基板３４の幅を小さくできる。このため、基板３４の材料コストを削減でき、また、照明具２の軽量化にも寄与できる。
【００３９】
図１５から図２０を参照して電源装置４０を詳しく説明する。
図１５は電源装置４０の取り付けを説明する斜視図であり、
（ａ）は固定構造であるネジ固定部側から見た図であり、
（ｂ）は係合構造である電源係合部側から見た図である。
図１６は電源装置４０の取り付けを説明する図であり、
（ａ）は上面図、
（ｂ）は図１６の（ａ）におけるＦ−Ｆ断面図である。
図１７は台座付きネジ５２の組み立てを説明する図であり、
（ａ）は台座付きネジ５２の取付前の図であり、
（ｂ）は台座付きネジ５２の取付後の図である。
図１８は電源装置４０の組み立てを説明する図である。
図１９は台座付きネジ５２の斜視図である。
図２０は電源装置４０の取付断面図であり、
（ａ）は図１５の（ｂ）におけるＥ−Ｅ断面図、
（ｂ）は図１７の（ｂ）におけるＧ−Ｇ断面図、
（ｃ）は図１７の（ｂ）におけるＨ−Ｈ断面図である。
【００４０】
＜電源装置４０の構成＞
電源装置４０は、ベースカバーである第１筐体４０４と、トップカバーである第２筐体４１０を有する。
第１筐体４０４は、筐体底面部である筐体底部４０５と、筐体側面部である筐体側部４０６と、筐体係合片である筐体係合部４０７とを有する。
筐体係合部４０７は電源側係合部である。
筐体底部４０５にはネジ挿通孔４０８が形成されている。
第２筐体４１０は、筐体天面部である筐体覆部４１１と、筐体周面部である筐体周部４１２とを有する。
また、電源装置４０は、電源回路部品４０１と、給電コネクタ４０２と、電源コネクタ４０３とを有する。
【００４１】
＜支持部材２３の構成＞
図１７に示すように、支持部材２３には、支持側係合部２４０と、係合片部２４４が形成されている。
支持側係合部２４０は、切しぼり加工によって形成された切しぼり加工部である。
支持側係合部２４０は、電源側係合部である筐体係合部４０７と係合する。
係合片部２４４は、切りおこし加工によって形成された切りおこし加工部である。
係合片部２４４には台座付きネジ５２を介して、筐体底部４０５が固定される。
支持部材２３の主部２３０には、ネジ固定部２４３（図１７の（ａ））が形成されている。
ネジ固定部２４３は、係合片部２４４と固定凸部２４６を有する。
また、第２面部２３２には電源配置凸部２４７（図１７）が形成されており、電源装置４０は電源配置凸部２４７に載せられる。
【００４２】
＜台座付きネジ５２＞
図１９に示すように、台座付きネジ５２は、台座部５２１と、ネジ部５２３とを有する。
台座部５２１には、固定孔５２２とスリット５２４が形成されている。
【００４３】
＜電源装置４０の取り付け＞
支持部材２３への電源装置４０の取り付け方法を説明する。
図１７に示すように、まず、台座付きネジ５２を係合片部２４４に取り付ける。
台座付きネジ５２のスリット５２４の側から台座部５２１を係合片部２４４に差し込む。
このとき、固定孔５２２に第２面部２３２に形成されている固定凸部２４６が嵌ることで、台座付きネジ５２は仮止めの状態になる。
次に、図１８の（ａ）に示すように、筐体係合部４０７を支持側係合部２４０に差し込む。
次に、図１８の（ｂ）に示すように、ネジ部５２３をネジ挿通孔４０８に通す。
次に、図１８の（ｃ）に示すように、ネジ部５２３をナット５３で止める。
以上、図１８の（ａ）から（ｃ）の要領で電源装置４０を支持部材２３に取り付ける。
【００４４】
＜支持側係合部２４０について＞
支持側係合部２４０は片側のみが開孔している袋状の形状をなしているので、衝撃に対する強度に優れており、箇所でも電源装置４０を確実に係合させ続けることができる。
支持側係合部２４０は、切りしぼり加工により形成する以外に、長手方向Ｘの両側が開孔している所謂ブリッジ形状を採用することも可能である。
支持側係合部２４０の挿入孔２４１に電源装置４０の筐体係合部４０７が長手方向Ｘに差し込まれることによって、電源装置４０が支持部材２３に係合され、挿入孔２４１は筐体係合部４０７によって閉塞される。
支持側係合部２４０を形成するために支持部材２３に形成される貫通孔である切りしぼり孔２４２は、基板３４によって完全に閉塞される。
つまり図２０の（ａ）において、
基板３４の幅Ｗ１と、支持側係合部２４０の形成に伴い第１面部２３１に形成される開口の幅Ｗ３との関係は、
Ｗ１＞Ｗ３、
である。
基板３４は支持側係合部２４０付近でも支持部材２３の第１面部２３１に接着固定されており、剥離しない構成である。
支持側係合部２４０における切りしぼり加工によって支持部材２３に形成される貫通孔または非貫通孔である孔は、支持部材２３の第２方向（短手方向Ｙ）における略中央に１箇所のみ設けられている。
よって、短手方向の広い範囲には設けられていないので、これらの孔を閉塞するために必要となる基板３４の幅を小さくすることができる。
このため、基板３４の材料コストを削減することができ、また、照明具２の軽量化にも寄与できる。
【００４５】
＜ネジ固定部２４３＞
図１７の（ａ）に示すように、ネジ固定部２４３は係合片部２４４と固定凸部２４６を有する。
ネジ固定部２４３に取り付けられる台座付きネジ５２は、大型の支持部材にネジの埋め込み加工のような特殊加工を行うことなく、電源装置４０を固定するためのネジを設けることができる。
上記のように、ネジ固定部２４３は、台座付きネジ５２の台座部５２１全体を抱え込むように係合する係合片部２４４と、台座部５２１に設けられた固定孔５２２に嵌り込んで台座付きネジ５２を挿入方向で移動を規制する固定凸部２４６とからなる。
【００４６】
ネジ固定部２４３を形成するために支持部材２３に形成される貫通孔である切りおこし孔２４５は、基板３４によって完全に閉塞される。
つまり図２０の（ｂ）において、
基板３４の幅Ｗ１と、切りおこし孔２４５の形成に伴い第１面部２３１に形成される開口の幅Ｗ４との関係は、
Ｗ１＞Ｗ４、
である。
【００４７】
基板３４はネジ固定部２４３付近でも支持部材２３の第１面部２３１に接着固定されており、剥離しないようになっている。
つまり図２０の（ｃ）において、
基板３４の幅Ｗ１と、切りおこし孔２４５の形成に伴い第１面部２３１に形成される、ネジ固定部２４３付近開口の幅Ｗ５との関係は、
Ｗ１＞Ｗ５、
である。
【００４８】
図２０の（ａ）から（ｃ）に示したように、切りおこし加工によって支持部材２３に形成される貫通孔または非貫通孔の孔は、支持部材２３の第２方向（短手方向Ｙ）における略中央に１箇所のみ設けられている。よって、短手方向Ｙの広い範囲には設けられていないので、これらの孔を閉塞するために必要となる基板３４の幅を小さくすることができる。このため、基板３４の材料コストを削減することができ、また、照明具２の軽量化にも寄与できる。
【００４９】
＊＊＊  実施の形態１の特徴のまとめ  ＊＊＊
＜第１の特徴＞
実施の形態１の第１の特徴は、ユニット側連結具４６および電源装置４０を支持部材２３に取り付けるために、支持部材２３に形成された開孔を閉塞する構成にある。
【００５０】
図３、図４のように、照明具２は、支持部材２３と、支持部材２３の一方の面である第１面部２３１の側に配置される発光素子３１と、第１面部２３１の裏側の他方の面である第２面部２３２の側に配置される配置部品９４０である、電源装置４０及びユニット側連結具４６を備えている。
支持部材２３は、配置部品９４０の取り付けのための取り付け用開口９２０が形成されている。
ここで、配置部品９４０の取り付けのための取り付け用開口９２０とは、ネジ孔２３７、係合用開口２３８、切りしぼり孔２４２及び切りおこし孔２４５である。
照明具２では、取り付け用開口９２０は、支持部材２３に、配置部品９４０である電源装置４０及びユニット側連結具４６が取り付けられることによって、少なくとも一部が閉塞されている。
【００５１】
照明具２では、取り付け用開口９２０は、配置部品９４０を第２面部２３２に取り付ける取り付け部材９１０によって、少なくとも一部が閉塞される。
ここで取り付け部材９１０とは、ネジ９、ユニット側連結具４６の配置板部４６７、電源側係合部である筐体係合部４０７及び台座付きネジ５２である。
【００５２】
なお、照明具２では、取り付け用開口９２０は、支持部材２３に配置部品９４０が取り付けられること、及び、発光素子基板９３０である発光モジュール３０が支持部材２３に取り付けられることによって、閉塞されてもよい。
例えば図２０では、切しぼり孔２４２は、電源装置４０が取り付けられることに使用される筐体係合部４０７と、基板３４との共同によって閉塞されている。
【００５３】
＜第２の特徴＞
次に、実施の形態１の第２の特徴は、支持部材２３に対する電源装置４０の取付構造にある。
【００５４】
図３、図４に示すように、照明具２は、支持部材２３と、支持部材２３の第１面部２３１の側に配置される発光素子３１と、第１面部２３１の裏側の第２面部２３２の側に取り付けられる電源装置４０とを備えている。
照明具２では、電源装置４０は、一箇所の係合構造部９５０と一箇所の固定構造部９６０とによって第２面部２３２の側に取り付けられている。
一箇所の係合構造部９５０とは、図１８に示すように、支持側係合部２４０と筐体係合部４０７との組である。
つまり、係合構造部９５０は、支持部材２３に設けられた支持側係合部９５１である支持側係合部２４０と、電源装置４０に設けられて支持側係合部２４０に挿入されている筐体係合部４０７とを備えている
【００５５】
図１７、図１８に示すように、照明具２では、支持側係合部２４０は、第１面部２３１から第２面部２３２の方向に切り起こされて内部空間９５１Ａ（図２０）を有する切り起こし部９５１Ｂ（図１８）である。
筐体係合部４０７は、内部空間９５１Ａに挿入されている。
実施の形態１の支持側係合部２４０は切り絞り部であるが、切り絞り部は広い意味で切り起こし部でもある。
【００５６】
支持部材２３には、切り起こし部９５１Ｂである支持側係合部２４０が切り起こされたことに伴う取り付け用開口９２０である切りしぼり孔２４２が形成されている。
切りしぼり孔２４２は、図２０に示すように、発光素子基板９３０である発光モジュール３０によって塞がれている。
【００５７】
＜第３の特徴＞
実施の形態１の第３の特徴は、支持部材２３にユニット側連結具４６および電源装置４０のような配置部品である付属装置を取り付けるために、支持部材２３に形成された孔と、この孔を閉塞する発光モジュール３０に特徴がある。
孔とは、貫通孔と貫通していない非貫通孔の両方を含む。
【００５８】
図１４、図１７に示すように、支持部材２３には、配置部品９４０の取り付けのための孔であって、長手方向Ｘに沿って形成された孔である複数の取り付け用孔９７０が形成されている。
複数の取り付け用孔９７０とは、例えば、凹部２３６、切りしぼり孔２４２及び切おこし孔２４５である。
複数の取り付け用孔９７０は、第１面部２３１が窪むことで第１面部２３１に形成されている窪み孔と、第１面部２３１から第２面部２３２に貫通する貫通孔との、少なくともいずれかである。
照明具２では、発光モジュール３０は、図１３、図２０に示すように、複数の取り付け用孔９７０の形成に伴い第１面部２３１に現れている開口を塞ぐように配置されている。
【００５９】
実施の形態１の照明具２では、複数の取り付け用孔９７０は、発光モジュール３０が配置される領域に形成されている。
【００６０】
また、複数の取り付け用孔９７０は、支持部材２３の短手方向Ｙにおける幅の１０％以上３５％以下の幅を有して支持部材２３の長手方向Ｘに延びる領域に形成されている。
図２１は、複数の取り付け用孔９７０の存在する領域を説明する図である。
図２１に示すように、支持部材２３の短手方向Ｙにおける幅とは、短手方向Ｙにおける、一対の側部２４８の外側どうしの寸法である。
領域の幅は、例えば、幅Ｂ２の中央に位置する。
【００６１】
また、照明具２では、発光モジュール３０は、長手形状であり、発光モジュール３０の短手方向Ｙの長さは、支持部材２３の短手方向Ｙの幅の３５％より大きく４０％より小さい。なお、３５％以上４０％以下でもよい。
図２２は、発光モジュール３０の短手方向Ｙの幅を説明する図である。
図２２に示すように、発光モジュール３０の短手方向Ｙにおける幅とは、基板３４の幅を意味するが、短手方向Ｙにおける基板３４の幅は、図２２に示した例では支持部材２３の短手方向Ｙの幅の３５％以上４０％以下である。
【００６２】
なお、図１３に示すように、発光モジュール３０は、実装面３４０を有する基板３４と、実装面３４０に配置された発光素子３１とを備えるとともに、実装面３４０の裏面３４１が支持部材２３の第１面部２３１に対向した状態で、支持部材２３に配置されている。
発光モジュール３０では実装面３４０の裏面３４１が支持部材２３の第１面部２３１に対向した状態で、裏面３４１が接着部材５０で支持部材２３に貼り付けられる。
【００６３】
＊＊＊  実施の形態１の効果  ＊＊＊
実施の形態１の照明具２によれば、電源装置及び連結具４６のような配置部品を支持部材に取り付ける場合に、配置部品の取り付けのために支持部材に形成された開孔を閉塞する簡易な構成を提供できる。
また、発光モジュール３０の小型化が可能であるため、照明装置の小型化を図ることができる。
また、照明装置の小型化により、省エネルギー及びコストダウンを図ることができる。
【００６４】
以上、本発明の実施の形態１について説明したが、実施の形態１のうち、１つを部分的に実施しても構わないし、複数の部分を組み合わせて実施してもよい。なお、本発明は、実施の形態に限定されるものではなく、必要に応じて種々の変更が可能である。
【符号の説明】
【００６５】
６００  照明装置、１  照明器具、１０  器具本体、１０１  外観主部、１０２  ユニット取付部、１０３  底面部、１０４  周面部、１０５  器具端部、１１  器具側連結具、１１０  バネ固定部、１１１  ネジ挿通孔、１１２  バネ主部、１１３  バネ先端部、１２  器具電源線材、１３  器具側コネクタ、１４  ネジ、２  照明具、２０  外郭部、２１  透光性カバー、２１０  カバー主部、２１１  カバー側部、２１２  カバー係合部、２１３  カバー保持部、２２  端部カバー、２２０  端面部、２２１  周部、２３  支持部材、２３０  主部、２３１  第１面部、２３２  第２面部、２３４，２３４ａ  連結具固定部、２３５  連結部配置部、２３６  凹部、２３７  ネジ孔、２３７ａ  ネジ孔、２３８  係合用開孔、２４０  支持側係合部、２４１  挿入孔、２４２  切りしぼり孔、２４３  ネジ固定部、２４４  係合片部、２４５  切りおこし孔、２４６  固定凸部、２４７  電源配置凸部、２４８  側部、３０  発光モジュール、３１  発光素子、３２  回路部品、３３  基板コネクタ、３４  基板、３４０  実装面、３４１  接着面、４０  電源装置、４０１  電源回路部品、４０２  給電コネクタ、４０３  電源コネクタ、４０４  第１筐体、４０５  筐体底部、４０６  筐体側部、４０７  筐体係合部、４０８  ネジ挿通孔、４１０  第２筐体、４１１  筐体覆部、４１２  筐体周部、４２  ユニット側電源線材、４３  ユニット側コネクタ、４４  給電線材、４６，４６ａ  ユニット側連結具、４６０  バネ挿入部、４６１  主板部、４６２  貫通孔、４６３  固定板部、４６４，４６４ａ  ネジ孔、４６５  側板部、４６６  上端部、４６７  配置板部、４６８  差込部、４６９  押さえ部、４７０  係合部、４８  配線クランプ、４９  配線ホルダ、５０  接着部材、５１  ネジ、５２  台座付きネジ、５２１  台座部、５２２  固定孔、５２３  ネジ部、５２４  スリット、５３  ナット、７００  造営部、９１０  取り付け部材、９２０  取り付け用開口、９３０  発光素子基板、９４０  配置部品、９５０  係合構造部、９５１  支持側係合部、９５１Ａ  内部空間、９５１Ｂ  切り起こし部、９５２  電源側係合部、９６０  固定構造部、９７０  取り付け用孔。
【図１】
2019029123.tif 000003
【図２】
2019029123.tif 000004
【図３】
2019029123.tif 000005
【図４】
2019029123.tif 000006
【図５】
2019029123.tif 000007
【図６】
2019029123.tif 000008
【図７】
2019029123.tif 000009
【図８】
2019029123.tif 000010
【図９】
2019029123.tif 000011
【図１０】
2019029123.tif 000012
【図１１】
2019029123.tif 000013
【図１２】
2019029123.tif 000014
【図１３】
2019029123.tif 000015
【図１４】
2019029123.tif 000016
【図１５】
2019029123.tif 000017
【図１６】
2019029123.tif 000018
【図１７】
2019029123.tif 000019
【図１８】
2019029123.tif 000020
【図１９】
2019029123.tif 000021
【図２０】
2019029123.tif 000022
【図２１】
2019029123.tif 000023
【図２２】
2019029123.tif 000024